【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
記録材へ印刷されるべき画像データ、あるいは濃度制御のためのテスト・パッチ・データに基づいて感光体上を露光して前記感光体上に潜像を形成し、回転現像器を含む現像器を使用して前記潜像を顕像化し、顕像化されたトナー像を中間転写体に転写し、さらに中間転写体から前記記録材に前記トナー像を転写するように構成された画像形成装置において、
前記画像データに基づく印刷のための画像を前記中間転写体上に作像する作像手段と、
前記作像手段が前記中間転写体上に画像を作像中に、作像される各印刷色の前記画像後端に、前記画像の現像色でテスト・パッチを作像するテスト・パッチ作像手段と、
前記テスト・パッチ作像手段が作像した前記テスト・パッチのトナー濃度をセンサで検出し、検出結果に基づいて現像される像の濃度をあらかじめ定めた濃度になるように濃度制御を行う濃度制御手段と
を備え、
前記作像手段は、前記中間転写体上に画像を作像中に、前記テスト・パッチ作像手段がテスト・パッチを作像する処理を実行した後に回転現像器を次に現像すべき現像色に回転制御する動作を開始させた場合、その後中間転写体を１回転させた後に、既に形成されている中間転写体上の画像に重ね合わせるように、回転制御された後の回転現像器の現像色の作像を前記中間転写体上に行う
ことを特徴とする画像形成装置。
【請求項２】
記録材へ印刷されるべき画像データ、あるいは濃度制御のためのテスト・パッチ・データに基づいて感光体上を露光して前記感光体上に潜像を形成し、回転現像器を含む現像器を使用して前記潜像を顕像化し、顕像化されたトナー像を中間転写体に転写し、さらに中間転写体から前記記録材に前記トナー像を転写するように構成された画像形成装置において、
前記画像データに基づく印刷のための画像を前記中間転写体上に作像する作像手段であって、前記中間転写体の周囲に前記記録材２面分の画像を同時形成させて印刷する２枚貼り制御を実行する２枚貼り制御を含む作像手段と、
前記作像手段が前記中間転写体上に画像を作像中に、作像される各印刷色の前記画像後端に前記画像の現像色でテスト・パッチを作像するテスト・パッチ作像手段と、
前記テスト・パッチ作像手段が作像した前記テスト・パッチのトナー濃度をセンサで検出し、検出結果に基づいて現像される像の濃度をあらかじめ定めた濃度になるように濃度制御を行う濃度制御手段と
を備え、
前記作像手段は、前記２枚貼り制御を実行中、２つの面のうち最後に作像した面の画像の後端に前記テスト・パッチ作像手段がテスト・パッチ作像を実行した後に回転現像器を次に現像すべき現像色に回転制御する動作を開始させた場合、その後の作像を前記最後に作像した面、そして残りの面の画像の順に、既に形成されている中間転写体上の画像に重ね合わせるように、回転制御された後の回転現像器の現像色の作像を前記中間転写体上に行う
ことを特徴とする画像形成装置。
【請求項３】
記録材へ印刷されるべき画像データ、あるいは濃度制御のためのテスト・パッチ・データに基づいて感光体上を露光して前記感光体上に潜像を形成し、回転現像器を含む現像器を使用して前記潜像を顕像化し、顕像化されたトナー像を中間転写体に転写し、さらに中間転写体から前記記録材に前記トナー像を転写するようにした画像形成方法であって、
前記画像データに基づく印刷のための画像を前記中間転写体上に作像する作像ステップと、
前記作像ステップによって前記中間転写体上に画像を作像中に、作像される各印刷色の前記画像後端に、前記画像の現像色でテスト・パッチを作像するテスト・パッチ作像ステップと、
前記テスト・パット作像ステップで作像した前記テスト・パッチのトナー濃度をセンサで検出し、検出結果に基づいて現像される像の濃度をあらかじめ定めた濃度になるように濃度制御を行う濃度制御ステップと
を備え、
前記作像ステップは、前記中間転写体上への画像を作像中、前記テスト・パッチ作像ステップによるテスト・パッチを作像する処理を実行した後に回転現像器を次に現像すべき現像色に回転制御する動作を開始させた場合、その後中間転写体を１回転させた後に、既に形成されている中間転写体上の画像に重ね合わせるように、回転制御された後の回転現像器の現像色の作像を前記中間転写体上に行う
ことを特徴とする画像形成方法。
【請求項４】
記録材へ印刷されるべき画像データ、あるいは濃度制御のためのテスト・パッチ・データに基づいて感光体上を露光して前記感光体上に潜像を形成し、回転現像器を含む現像器を使用して前記潜像を顕像化し、顕像化されたトナー像を中間転写体に転写し、さらに中間転写体から前記記録材に前記トナー像を転写するようにした画像形成方法であって、
前記画像データに基づく印刷のための画像を前記中間転写体上に作像する作像ステップであって、前記中間転写体の周囲に前記記録材２面分の画像を同時形成させて印刷する２枚貼り制御を実行する２枚貼り制御を含む作像ステップと、
前記作像ステップによって前記中間転写体上に画像を作像中に、作像される各印刷色の前記画像後端に、前記画像の現像色でテスト・パッチを作像するテスト・パッチ作像ステップと、
前記テスト・パッチ作像ステップで作像した前記テスト・パッチのトナー濃度をセンサで検出し、検出結果に基づいて現像される像の濃度をあらかじめ定めた濃度になるように濃度制御を行う濃度制御ステップと
を備え、
前記作像ステップは、前記２枚貼り制御を実行中、２つの面のうち最後に作像した面の後端に前記テスト・パッチ作像ステップがテスト・パッチ作像を実行した後に回転現像器を次に現像すべき現像色に回転制御する動作を開始させた場合、その後の作像を前記最後に作像した面、そして残りの面の画像の順に、既に形成されている中間転写体上の画像に重ね合わせるように、回転制御された後の回転現像器の現像色の作像を前記中間転写体上に行う
ことを特徴とする画像形成方法。
【請求項５】
回転自在に指示された感光体の周囲に、少なくとも２色の現像器を有する回転現像器、中間転写体を配設し、前記感光体上に順次形成された複数色の画像を前記中間転写体に順次転写し、更に該中間転写体上に転写された複数色の画像を一括して転写材に転写する画像処理装置において、
前記中間転写体上には２組以上の画像を担持することが可能であり、
前記中間転写体上に２ｎ―1、２ｎ枚目（ｎは整数）の順での２組の画像の形成に続けて、濃度制御のためのテスト・パッチの作像を実行する場合、次なる色での画像形成の際には、前記感光体上に２ｎ、２ｎ―1枚目の順に画像形成を行い、前記中間転写体に順次転写する
ことを特徴とする画像形成装置。
【請求項６】
前記中間転写体上に２ｎ―1、２ｎ枚目（ｎは整数）の順での画像形成に続けて、濃度制御のためのテスト・パッチの作像が実行されない場合、次なる色での画像形成の際には、前記感光体上に２ｎ―1、２ｎ枚目の順に画像形成を行い、前記中間転写体に順次転写することを特徴とする請求項５に記載の画像形成装置。
【請求項７】
前記中間転写体上に１組の画像のみ担持できるようなサイズの画像を形成する場合で、前記中間転写体上にｎ枚目（ｎは整数）の画像形成に続けて、濃度制御のためのテスト・パッチの作像を実行する時、前記中間転写体を、転写を行わず１回転させてから、次なる色で形成したｎ枚目の画像を前記中間転写体に転写することを特徴とする請求項６に記載の画像形成装置。
【手続補正２】
【補正対象書類名】明細書
【補正対象項目名】００１４
【補正方法】変更
【補正の内容】
【００１４】
また、請求項４に記載の発明は、記録材へ印刷されるべき画像データ、あるいは濃度制御のためのテスト・パッチ・データに基づいて感光体上を露光して前記感光体上に潜像を形成し、回転現像器を含む現像器を使用して前記潜像を顕像化し、顕像化されたトナー像を中間転写体に転写し、さらに中間転写体から前記記録材に前記トナー像を転写するようにした画像形成方法であって、前記画像データに基づく印刷のための画像を前記中間転写体上に作像する作像ステップであって、前記中間転写体の周囲に前記記録材２面分の画像を同時形成させて印刷する２枚貼り制御を実行する２枚貼り制御を含む作像ステップと、前記作像ステップによって前記中間転写体上に画像を作像中に、作像される各印刷色の前記画像後端に、前記画像の現像色でテスト・パッチを作像するテスト・パッチ作像ステップと、前記テスト・パッチ作像ステップで作像した前記テスト・パッチのトナー濃度をセンサで検出し、検出結果に基づいて現像される像の濃度をあらかじめ定めた濃度になるように濃度制御を行う濃度制御ステップとを備え、前記作像ステップは、前記２枚貼り制御を実行中、２つの面のうち最後に作像した面の後端に前記テスト・パッチ作像ステップがテスト・パッチ作像を実行した後に回転現像器を次に現像すべき現像色に回転制御する動作を開始させた場合、その後の作像を前記最後に作像した面、そして残りの面の画像の順に、既に形成されている中間転写体上の画像に重ね合わせるように、回転制御された後の回転現像器の現像色の作像を前記中間転写体上に行うことを特徴とする。
また、請求項５に記載の発明は、回転自在に指示された感光体の周囲に、少なくとも２色の現像器を有する回転現像器、中間転写体を配設し、前記感光体上に順次形成された複数色の画像を前記中間転写体に順次転写し、更に該中間転写体上に転写された複数色の画像を一括して転写材に転写する画像処理装置において、前記中間転写体上には２組以上の画像を担持することが可能であり、前記中間転写体上に２ｎ―1、２ｎ枚目（ｎは整数）の順での２組の画像の形成に続けて、濃度制御のためのテスト・パッチの作像を実行する場合、次なる色での画像形成の際には、前記感光体上に２ｎ、２ｎ―1枚目の順に画像形成を行い、前記中間転写体に順次転写することを特徴とするものである。
また、請求項６に記載の発明は、請求項５に記載の画像形成装置であって、前記中間転写体上に２ｎ―1、２ｎ枚目（ｎは整数）の順での画像形成に続けて、濃度制御のためのテスト・パッチの作像が実行されない場合、次なる色での画像形成の際には、前記感光体上に２ｎ―1、２ｎ枚目の順に画像形成を行い、前記中間転写体に順次転写することを特徴とするものである。
また、請求項７に記載の発明は、請求項５に記載の画像形成装置であって、前記中間転写体上に１組の画像のみ担持できるようなサイズの画像を形成する場合で、前記中間転写体上にｎ枚目（ｎは整数）の画像形成に続けて、濃度制御のためのテスト・パッチの作像を実行する時、前記中間転写体を、転写を行わず１回転させてから、次なる色で形成したｎ枚目の画像を前記中間転写体に転写することを特徴とするものである。